(57)【要約】【課題】ピンホール効果を向上させ、外部の対象物を真円で見ることができ、視力低下の予防や視力の回復という機能の増大を図る眼鏡を提供する。【解決手段】瞳孔の前方に配置される遮光板２を備えた眼鏡１であって、前記遮光板２の中央に複数の小孔３を開口し、この小孔３を前記遮光板２の裏面２ａから表面２ｂにかけて先細りの断面テーパ状からなる円錐形にする。【選択図】図５
2016114920.tif 000002
【特許請求の範囲】
【請求項１】
瞳孔の前方に配置される遮光板を備えた眼鏡であって、前記遮光板の中央に複数の小孔を開口し、この小孔を前記遮光板の裏面から表面にかけて先細りの断面テーパ状からなる円錐形にすることを特徴とする眼鏡。
【請求項２】
前記遮光板の外周縁を延長して前記瞳孔に向かうように屈曲する庇部を形成することを特徴とする請求項１に記載の眼鏡。
【請求項３】
前記遮光板と同一形状のカバー板を前記遮光板の前記表面に重ね、このカバー板に前記遮光板の前記小孔と一致する微小孔を開口することを特徴とする請求項１または２に記載の眼鏡。
【発明の詳細な説明】
【技術分野】
【０００１】  この発明は、ピンホール効果（所定の見る対象物から出た光を小さなピンホールを通して見ると、光が屈折せずに光の直進性により光が網膜に直接達するために対象物がはっきり見えること。）を有する眼鏡に関する。
【背景技術】
【０００２】  従来ではピンホール効果により視力低下の予防や視力の回復という機能性の向上を図るため、径がほぼ０．９ｍｍ以下のピンホールを有する眼鏡が多く提案されている。【０００３】  特に、特許文献１の図３に記載される眼鏡のピンホールは、眼側と外界側が同一の径で直線的になっており、このため、前記ピンホールの眼側の周縁の角壁が見えて、真円として見ることができず、光の直線性による真円以外として見えることになり、前記ピンホールを通して外部の対象物を真円として見ることができない。【０００４】  このため、上記の眼鏡を使用すると肉体的、精神的に苦痛が生じ、不安定感があり、肉体的、精神的な安定感が得られず、しかも、長時間の使用では疲労感が大きく、疲労の回復に時間がかかり、使い勝手が悪く、使用を諦めてしまうことが多い。
【先行技術文献】
【特許文献】
【０００５】
【特許文献１】実用新案登録第３０２８８０７号公報
【発明の概要】
【発明が解決しようとする課題】
【０００６】  この発明は、以上のような点を考慮してなされたもので、ピンホール効果を向上させ、外部の対象物を真円で見ることができ、視力低下の予防や視力の回復という機能性の向上を図る眼鏡を提供することを目的とする。
【課題を解決するための手段】
【０００７】  前記課題を解決し、かつ目的を達成するために、この発明は、以下のように構成した。【０００８】  請求項１に記載の発明は、瞳孔の前方に配置される遮光板を備えた眼鏡であって、前記遮光板の中央に複数の小孔を開口し、この小孔を前記遮光板の裏面面から表面にかけて先細りの断面テーパ状よりなる円錐形にすることを特徴とする眼鏡である。【０００９】  請求項２に記載の発明は、前記遮光板の外周縁を延長して前記瞳孔に向かうように屈曲する庇部を形成することを特徴とする請求項１に記載の眼鏡である。【００１０】  請求項３に記載の発明は、前記遮光板と同一形状のカバー板を前記遮光板の表面に重ね、このカバー板に前記遮光板の前記小孔と一致する微小孔を開口することを特徴とする請求項１または２に記載の眼鏡である。
【発明の効果】
【００１１】  前記構成により、この発明は、以下のような効果を有する。【００１２】  請求項１に記載の発明では、瞳孔の前方に配置される遮光板を備えた眼鏡であって、前記遮光板の中央に複数の小孔を開口し、この小孔を前記遮光板の裏面から表面にかけて先細りの断面テーパ状よりなる円錐形にするので、前記小孔の眼側の周縁が目で見えなくなり、光の直線性による真円以外として見えることをなくし、前記小孔を通して対象物を真円として見ることができる。【００１３】  請求項２に記載の発明では、前記遮光板の外周縁を延長して前記瞳孔に向かうように屈曲する突出部を形成するので、前記遮光板の前記裏面側への入光が阻止され、前記遮光板の前記裏面側が暗室化になり、このため、前記小孔を通して対象物をより明瞭に見ることができ、しかも、まつげが前記遮光板に触れない程度の空間を保つことができる。【００１４】  請求項３に記載の発明では、前記遮光板と同一形状のカバー板を前記遮光板の前記表面に重ね、このカバー板に前記遮光板の前記小孔と一致する微小孔を開口するので、ピンホール効果を高めるため前記遮光板が黒色になるが、前記カバー板を前記遮光板に対して明るい色にすることができ、しかも、カバー板に模様を描くことなどして眼鏡の美観をよくし、使用を促進させることができる。
【図面の簡単な説明】
【００１５】
【図１】この発明の第１の実施の態様を示す斜視図。
【図２】この発明の第１の実施の態様を示す平面図。
【図３】図１のＡ−Ａ線に沿う拡大断面図。
【図４】この発明の第２の実施の態様を示す正面図。
【図５】図４のＢ−Ｂ線に沿う拡大断面図。
【発明を実施するための形態】
【００１６】  以下、この発明の眼鏡の実施の形態について説明する。この発明の実施の形態は、発明の最も好ましい形態を示すものであり、この発明にこれは限定されない。
【００１７】  この発明の第１の実施の態様を図１および図３に基づいて説明する。符号１はプラスチック材よりなる左右一対の遮光板２よりなる眼鏡で、左右一対の前記遮光板２は鼻掛けるブリッジ４により一体になるように連結される。
【００１８】  前記遮光板２の中央に複数の小孔３を開口し、この小孔３を前記遮光板２の裏面２ａから表面２ｂにかけて先細りの断面テーパ状の円錐形にする。これにより、前記小孔３の眼側の周縁が見えなくなり、真円として見ることができ、光の直線性により真円以外として見えることがなく、前記小孔３を通して対象物を真円として見ることになる。
【００１９】  前記小孔３の径はピンホール効果が得られる大きさにし、例えば、前記小孔３の径のうち前記遮光板２の前記裏面２ａ側を１．０〜１．８ｍｍとし、前記遮光板２の表面２ｂ側を０．９ｍｍ以下とするのが望ましい。
【００２０】  なお、前記遮光板２の前記小孔３を開口する中央の板厚を薄い肉厚にすれば、前記小孔３を円錐形にすることとの相乗効果で光の直線性に対して、前記小孔３を通して対象物を真円より見ることがより一層できる。
【００２１】  前記遮光板２の左右側端には、耳に掛けるテンプル５がヒンジを介して折り畳み自在に取付けられ、前記テンプル５の先端にはモダン６が装着されている。
【００２２】  さらに、前記遮光板２には、この遮光板２の外周縁を延長して瞳孔に向かうように屈曲する庇部４を形成する。これにより、前記遮光板２の裏面２ａ側へ光が入るのを阻止しでき、瞳孔の前方が暗室化されることになるので、ピンホール効果を最大限に得ることができるとともに、まつげが前記遮光板２に触れない程度の空間を保つことができる。
【００２３】  次に、第２の実施の態様を図４および図５に基づいて説明する。この実施の形態において上述した実施の形態と同じ構成は同一の符号を付して説明する。
【００２４】  この実施の形態では、前記遮光板２とほぼ同一形状のカバー板９を前記遮光板２の前記表面２ｂ側に重ね、前記遮光板２の外周縁および前記カバー板９の外周縁をフレーム８の溝８１に嵌装する。
【００２５】  ピンホール効果を最大限に得るため前記遮光板２は黒色にし、瞳孔の前方を暗室化することになるが、前記カバー板９を明るい色にしたり、模様を描いたりして、前記遮光板２の前記表面２ｂに前記カバー板９を重ねると、前記眼鏡１の美観がよくなり、使用を促進させることができる。
【００２６】  前記カバー板９の中央には、前記遮光板２の前記小孔３に一致する位置に微小孔１０を開口する。この微小孔１０を前記小孔３の表面２ｂ側の径とほぼ同一の径で、前記カバー板９の前記内面から前記外面まで同一の径で直線的な形状にしたが、前記微小孔１０は前記遮光板２の前記小孔３のように先細りの断面テーパ状の円錐形にしてもよい。
【００２７】  なお、この実施の形態では、第１の実施の態様における前記遮光板２の外周縁を延長して瞳孔に向かうように屈曲する庇部４を形成していないが、前記フレーム８の前記溝８１に嵌装される前記遮光板２の外周縁より分岐させて瞳孔に向かう庇部を形成してもよい。
【００２８】  以上の各実施の態様における眼鏡１では、前記眼鏡１に備える遮光板２の中央に開口した小孔３を前記遮光板２の前記裏面２ａから前記表面２ｂにかけて先細りの断面テーパ状よりなる円錐形にするので、前記小孔３の眼側の周縁が見えなくなり、真円として見ることができ、光の直線性による真円以外として見えることをなくし、前記小孔３を通して外部の対象物を真円で見ることができる。
【００２９】  また、前記遮光板２の外周縁に形成した庇部７により、前記遮光板２の前記裏面２ａ側へ光が入るのを阻止し、瞳孔の前方が暗室化されることになるので、ピンホール効果を最大限に得ることができるとともに、まつげが前記遮光板２に触れない程度の空間を保つことができる。
【００３０】  しかも、ピンホール効果を最大限に得るため前記遮光板２を黒色などにし、瞳孔の前方を暗室化することになるが、前記カバー板９を明るい色にしたり、模様を描いたりして、前記遮光板２の前記表面２ｂに前記カバー板９を重ねることにより、前記眼鏡１の美観がよくなり、使用を促進させることができる。
【産業上の利用可能性】
【００３１】  この発明における眼鏡は、ピンホール効果である視力低下の予防や視力の回復という機能を最大限に得ることができるとともに、眼鏡の美観がよくなり、使用を促進させることができる。
【符号の説明】
【００３２】  １    眼鏡
２    遮光板
２ａ  裏面
２ｂ  表面
３    小孔
４    ブリッジ
５    テンプル
６    モダン
７    庇部
８    フレーム
８１  溝
９    カバー板
１０  微小孔
【図１】
2016114920.tif 000003
【図２】
2016114920.tif 000004
【図３】
2016114920.tif 000005
【図４】
2016114920.tif 000006
【図５】
2016114920.tif 000007